(57)【要約】      （修正有）【課題】昇降作動を迅速に行なうことができる椅子の踏みリングの昇降構造を提供する。【解決手段】椅子の踏みリング３０とテープスリーブ３１、主軸ガイドリング３２、防塵カバー３３及び脚部３４からなり、主軸ガイドリングを、脚部の主軸の適当な位置に嵌設し、テープスリーブが主軸ガイドリングの外側に嵌設され、その雌ねじと主軸ガイドリングの雄ねじとが螺着され、椅子の踏みリングの中心ガイドリングが、テープスリーブの外側に嵌設される。そして、防塵カバーを、中心ガイドリングとテープスリーブの頂面に設置し、ねじでロックする。前記の構造により、椅子の踏みリングを、時計回りに回転させると、その中心ガイドリングとテープスリーブとが連動して回転し、主軸ガイドリングが、テープスリーブの回転に連動して上方へ変位し、これにより、圧縮シート３２１が、テープスリーブによって圧接されて脚部の主軸に圧接し、椅子の踏みリング３０が調整された位置に固定される。【選択図】図６
0003159215.tif 000002
【実用新案登録請求の範囲】
【請求項１】
十文字フレームの中心部に中心ガイドリングを有する椅子の踏みリングと、テープスリーブと、主軸ガイドリングと、防塵カバーと、主軸を有する脚部とからなる椅子の踏みリングの昇降構造であって、
前記テープスリーブは、二つの対応するテープの半円筒を係合してなり、前記半円筒の頂面において、適当な位置に、若干の螺溝が設けられ、その内面の頂部に、それぞれ、雌ねじが形成され、
前記主軸ガイドリングは、錐形で、適当な位置に形成された複数の溝により、複数の圧縮シートに仕切られ、その頂部において、適当な位置に、テープスリーブの雌ねじと緊密に螺着する雄ねじが形成され、
前記防塵カバーは、テープスリーブの頂面に設けた螺溝に対応する位置に、若干の螺着孔が形成され、
主軸ガイドリングを、脚部の主軸に嵌設し、テープスリーブが、主軸ガイドリングの外側に嵌設され、その雌ねじと主軸ガイドリングの雄ねじとを螺着させ、椅子の踏みリングの中心ガイドリングが、テープスリーブの外側に嵌設され、そして、防塵カバーを中心ガイドリングとテープスリーブの頂面に設置し、その螺着孔とテープスリーブの螺溝とを一致させてから、ねじでロックするように構成されたことを特徴とする椅子の踏みリングの昇降構造。
【請求項２】
椅子の踏みリングが、回転すると、それに連動されて、中心ガイドリングとテープスリーブが、回転し、テープスリーブにより、主軸ガイドリングが回転して変位し、これにより、主軸ガイドリングの圧縮シートが、脚部の主軸に圧接し、椅子の踏みリングが、所定の位置に固定されてなることを特徴とする請求項１に記載の椅子の踏みリングの昇降構造。
【考案の詳細な説明】
【技術分野】
【０００１】
本考案は、椅子の踏みリングの昇降構造に関するものであり、さらに詳しくは、テープスリーブ及び主軸ガイドリングを利用して、脚部の主軸に対する圧接及び弛緩により、迅速に椅子の踏みリングの高さを変化させることが可能な昇降構造に関するものである。
【背景技術】
【０００２】
従来の脚部円盤昇降構造１は、図１及び図２に示すように、中心ガイドリング１０とＣ形状ガイドリング１１とを利用したものであり、その中心ガイドリング１０の外側に、円形状孔１２が形成され、前記円形状孔１２内に、つまみ１３が螺着されるためのスレッドが形成される。つまみ１３を、緊密に締めると、Ｃ形状ガイドリング１１が圧接されて、主軸１４に固定されるが、このような構造は、上記Ｃ形状ガイドリング１１が、ラブ材質からなるため、つまみ１３が、上記Ｃ形状ガイドリング１１に圧接する時、Ｃ形状ガイドリング１１の表面に傷を付けやすい。また、そのつまみ１３が、単一点であっても、Ｃ形状ガイドリング１１に傷を付けやすく、さらに、間接的に、主軸１４を圧迫することにより、主軸１４が変形して、円形状踏みリング１５の昇降機能が低下するおそれがある。
【０００３】
従って、市場に登場した、他の脚部円盤昇降構造２は、図３及び図４に示すように、円形状踏みリングの中心ガイドリング２０の内側に、斜面２１を有する内孔が形成され、上端に、スレッド２２が設けてあり、また、テープガイドリング２３に合わせて、そのテープガイドリング２３に形成された四角孔２４内に、柔らかいラブシート２５と斜面押えブロック２６を設置してある。円形状踏みリングの中心ガイドリング２０が、下方へ回転する時、中心ガイドリング２０の斜面２１が、下方へ変位してテープガイドリングに緊密に当接し、これにより、斜面押えブロック２６が、内側へ押され、柔らかいラブシート２５が圧縮され、緊密に主軸２７に貼り付いて固定される。
【０００４】
このような構造は、便利なものであるが、長期にわたって使用すると、塵埃が内部に堆積して、転動調整が難しくなる傾向にあり、また、かかる構造は使用部材が多く、作製が容易ではなく、コストが高いという欠点がある。
【考案の開示】
【考案が解決しようとする課題】
【０００５】
従って、本考案の課題は、椅子の踏みリングにおいて、主軸ガイドリングに対して均一に力を加えることが可能な昇降構造を提供することにある。
【課題を解決するための手段】
【０００６】
そこで、本考案者は、前記の本考案の課題を解決するために鋭意検討を重ねた結果、テープスリーブ及び主軸ガイドリングを用いることにより前記の課題が解決できることを見い出し、かかる知見に基いて本考案に想到した。
【０００７】
すなわち、本考案の主な目的は、テープスリーブで、全面にわたって、均一に、主軸ガイドリングに対して、力を加え、これにより、主軸ガイドリングも、脚部主軸に対して、単一点で固定するのでなく、全面的に力を加えることができ、耐用寿命を向上させることが可能な椅子の踏みリングの昇降構造を提供する点にある。
【０００８】
また、本考案の他の目的は、主軸ガイドリングが、全面的に脚部主軸に圧接することにより、単一点で固定するものでなく、全面的に、所定の位置に固定され、安定性に優れた椅子の踏みリングの昇降構造を提供する点にある。
【０００９】
かくして、本考案によれば、請求項１において、
十文字フレームの中心部に、中心ガイドリングを有する椅子の踏みリングと、テープスリーブと、主軸ガイドリングと、防塵カバーと主軸を有する脚部とからなる椅子の踏みリングの昇降構造であって、
前記テープスリーブは、二つの対応するテープの半円筒を係合してからなり、前記半円筒の頂面において、適当な位置に、平均的に若干の螺溝が設けられ、その内面の頂部に、それぞれ、雌ねじが形成され、
前記主軸ガイドリングは、錐形で、適当な位置に形成された複数の溝により、複数の圧縮シートに仕切られ、その頂部において、適当な位置に、テープスリーブの雌ねじと緊密に螺着する雄ねじが形成され、
前記防塵カバーは、テープスリーブの頂面に設けた螺溝に対応する位置に、平均的に、若干の螺着孔が形成され、
主軸ガイドリングを、脚部の主軸に嵌設し、テープスリーブが、主軸ガイドリングの外側に嵌設され、その雌ねじと主軸ガイドリングの雄ねじとを螺着させ、椅子の踏みリングの中心ガイドリングが、テープスリーブの外側に嵌設され、そして、防塵カバーを、中心ガイドリングとテープスリーブの頂面に設置し、その螺着孔とテープスリーブの螺溝とを一致させてから、ねじでロックするように構成されたことを特徴とする椅子の踏みリングの昇降構造が提供される。
【００１０】
請求項２によれば、
椅子の踏みリングが、回転すると、それに連動されて、中心ガイドリングとテープスリーブが、回転し、テープスリーブにより、主軸ガイドリングが回転して変位し、これにより、主軸ガイドリングの圧縮シートが、脚部の主軸に圧迫し、椅子の踏みリングが、所定の位置に固定されてなることを特徴とする請求項１に記載の椅子の踏みリングの昇降構造が提供される。
【考案の効果】
【００１１】
本考案は、前記の如き構成からなり、上下移動が容易であり、また、加える力を均等に分散可能な椅子の踏みリングの昇降構造を提供することができる。
【考案を実施するための最良の形態】
【００１２】
以下、図面を参照しながら、本考案の特徴や技術内容について、詳しく説明する。もっとも、それらの図面等は、参考や説明のためであり、本考案は、それらによって限定されるものではない。
【００１３】
本考案に係る椅子の踏みリングの昇降構造３は、図５乃至図７に示すように、椅子の踏みリング３０とテープスリーブ３１、主軸ガイドリング３２、防塵カバー３３及び脚部３４を有する。椅子の踏みリング３０の十文字フレーム３０１は、中心部に、中心ガイドリング３０２を有する。テープスリーブ３１は、二つの対応するテープ半円筒３１０、３１１を係合してなるものであり、前記半円筒３１０、３１１の頂面において、適当な位置に、平均的に若干の螺溝３１２ａ、３１２ｂが設けられ、その内面の頂部に、それぞれ、雌ねじ３１３ａ、３１３ｂが形成され、互いに係合した後、雌ねじ３１３ａ、３１３ｂを有するテープスリーブ３１が形成される。
【００１４】
主軸ガイドリング３２は、テープスリーブ３１に合わせて錐形になり、その適当な位置に、複数の溝３２０が形成される。それにより、主軸ガイドリング３２が、複数の圧縮シート３２１に仕切られ、その頂部において、適当な位置に、テープスリーブ３１の雌ねじ３１３ａ、３１３ｂと緊密に螺着する雄ねじ３２２が形成される。
【００１５】
防塵カバー３３は、リング状で、テープスリーブ３１の頂面に設けてある螺溝３１２ａ、３１２ｂに対応する位置に、平均的に、若干の螺着孔３３０が形成され、主軸ガイドリング３２を、脚部３４の主軸３４０の適当な位置に、嵌設する。テープスリーブ３１が、主軸ガイドリング３２の外側に嵌設され、その雌ねじ３１３ａ、３１３ｂの下部が、主軸ガイドリング３２の雄ねじ３２２の上部に螺着されると、踏みリング３０の中心ガイドリング３０２が、テープスリーブ３１の外側に嵌設される。
【００１６】
そして、防塵カバー３３を中心ガイドリング３０２とテープスリーブ３１の頂面に設置し、その螺着孔３３０とテープスリーブ３１の螺溝３１２ａ、３１２ｂとを一致させてから、ねじ４でロックする。この時、主軸ガイドリング３２と脚部３４の主軸３４０とは、図７に示すように弛緩状態である。
【００１７】
図７と図８に示すように、椅子の踏みリング３０を、所定の位置に調整すると、時計回りに、椅子の踏みリング３０を回転することにより、その中心ガイドリング３０２とテープスリーブ３１とが、それに連動して回転し、テープスリーブ３１の雌ねじ３１３ａ、３１３ｂが、主軸ガイドリング３２の雄ねじ３２２に螺合されるため、主軸ガイドリング３２が連動されて回転する。これにより、主軸ガイドリングは上方へ変位し、同時に、テープスリーブ３１と主軸ガイドリング３２のテープ設計を取っているので、主軸ガイドリング３２が、上方へ変位した後、その圧縮シート３２１が、脚部３４の主軸３４０に圧接して、椅子の踏みリング３０が、所定の位置に固定される。また、改めて椅子の踏みリング３０の位置を調整する場合、椅子の踏みリング３０を反時計回りに回転させると、テープスリーブ３１により連動され、主軸ガイドリング３２が回転して下方へ変位する。これにより、その圧縮シート３２１が、脚部３４の主軸３４０を弛めて、椅子の踏みリング３０は、改めて、上下方向へ位置を調整することができる。
【００１８】
以上は、本考案のより良い実施例であり、本考案は、それによって限定されることが無く、本考案に係わる実用新案登録請求の範囲や明細書の内容に基づいて行った等価の変更や修正は、全てが、本考案の範囲内に含まれることは明らかである。
【図面の簡単な説明】
【００１９】
【図１】従来の椅子の踏みリング昇降構造（一）の分解斜視図である。
【図２】従来の椅子の踏みリング昇降構造（一）の斜視図である。
【図３】従来の椅子の踏みリング昇降構造（二）の断面図である。
【図４】従来の椅子の踏みリング昇降構造（二）の断面作動概念図である。
【図５】本考案の一実施形態による椅子の踏みリング昇降構造の斜視図である。
【図６】本考案の一実施形態による椅子の踏みリング昇降構造の分解斜視図である。
【図７】本考案に係る椅子の踏みリング昇降構造の図５の７−７断面図である。
【図８】本考案に係る椅子の踏みリング昇降構造の図５の７−７断面作動概念図である。
【符号の説明】
【００２０】
１        脚部円盤昇降構造
１０      中心ガイドリング
１１      Ｃ形状ガイドリング
１２      円形状孔
１３      つまみ
１４      主軸
１５      円形状踏みリング
２        脚部円盤昇降構造
２０      中心ガイドリング
２１      斜面
２２      スレッド
２３      テープガイドリング
２４      四角孔
２５      柔らかいラブシート
２６      斜面押えブロック
２７      主軸
３        椅子の踏みリングの昇降構造
３０      椅子の踏みリング
３０１    十文字フレーム
３０２    中心ガイドリング
３１      テープスリーブ
３１０    半円筒
３１１    半円筒
３１２ａ  螺溝
３１２ｂ  螺溝
３１３ａ  雌ねじ
３１３ｂ  雌ねじ
３２      主軸ガイドリング
３２０    溝
３２１    圧縮シート
３２２    雄ねじ
３３      防塵カバー
３３０    螺着孔
３４      脚部
３４０    主軸
４        ねじ
【図１】
0003159215.tif 000003
【図２】
0003159215.tif 000004
【図３】
0003159215.tif 000005
【図４】
0003159215.tif 000006
【図５】
0003159215.tif 000007
【図６】
0003159215.tif 000008
【図７】
0003159215.tif 000009
【図８】
0003159215.tif 000010